(57)【要約】【課題】軽量化を図ることができるとともに、消費電力を低減でき、防水性や耐火性を確保でき、取り扱いを容易にできる、つり下げ式の提灯を提供する。【解決手段】本発明における提灯２０は、つり下げ式の提灯である。提灯２０の軸方向中心部分には、発光部２１を備えている。発光部２１は、少なくとも１つのＬＥＤ発光素子３２を備え、口出しコード５を介してつり下げ保持される。【選択図】図１
2016219361.tif 000002
【特許請求の範囲】
【請求項１】
つり下げ式の提灯であって、
該提灯の軸方向中心部分に発光部を備え、
該発光部は、少なくとも１つのＬＥＤ発光素子を備え、電線を介してつり下げ保持されることを特徴とする、提灯。
【請求項２】
前記ＬＥＤ発光素子は複数であり、前記提灯の軸方向に沿って配設されることを特徴とする、請求項１に記載の提灯。
【請求項３】
前記発光部は、前記複数のＬＥＤ発光素子を搭載したＬＥＤ基板を少なくとも３つ備え、各ＬＥＤ基板は、軸対称に配設されることを特徴とする、請求項２に記載の提灯。
【請求項４】
前記発光部は、樹脂で形成されるケースを備え、
前記ケースは、複数のケースユニットで構成されることを特徴とする、請求項１から３のいずれか１つに記載の提灯。
【請求項５】
前記ケースは、複数のケースユニットを超音波で溶着されていることを特徴とする、請求項４に記載の提灯。
【請求項６】
前記ケースを形成する樹脂は、ポリカーボネートであることを特徴とする、請求項４または５に記載の提灯。
【発明の詳細な説明】
【技術分野】
【０００１】
本発明は、祭りや催し物等に使用するつり下げ式の提灯に関するものである。
【背景技術】
【０００２】
従来において、祭り、ビアガーデン、イベントや催し物等に使用される装飾用の提灯として、例えば、図７に示されるようなものが知られている。同図に示されるように、提灯１は、内部を中空に構成されて蛇腹式に伸縮可能な提灯本体２と、提灯本体２の軸方向中心部分に設けられている発光部（口出しコード５につり下げられたソケット４と、ソケット４に着脱自在に設けられる白熱電球３）を備えている。
また、提灯１は、上部に提灯フック６を備え、提灯フック６を介して木や電柱等の間に張り渡した針金やロープに係止する。提灯フック６は、その下部にジョイント部７を備えている。このジョイント部７により、図示しない電源コードから口出しコード５を分岐させて、ソケット４に接続している。
特許文献１には、この種のつり下げ式の提灯について、開示されている。
【先行技術文献】
【特許文献】
【０００３】
【特許文献１】実開平６−７２１９３号公報
【発明の概要】
【発明が解決しようとする課題】
【０００４】
祭りや催し物等に使用される提灯は、上述のように木や電柱等の間に張り渡した針金やロープに、複数個（場合によっては数十灯から数百灯）配設される。このため、提灯の荷重を出来るだけ軽量化することが望まれている。しかしながら、従来におけるつり下げ式の提灯は、発光部を構成するソケットや白熱電球自体の重量が大きく、軽量化の妨げになっていた。
また、上述のように祭りや催し物等では複数個の提灯を配設するために、連結コードが使用されることが多い。しかしながら、従来光源として使用される白熱電球は消費電力も大きいため、連結コードが使用できる灯数に制限があり、連結コードの機能を十分に発揮できないという課題があった。
また、従来のつり下げ式の提灯は、ソケットに白熱電球をはめ込む構成となっており、これらの接触不良を防止する必要がある。また、白熱電球作動時の表面温度が約１００℃と高いため、幼児や高齢者のイベントに使用する際に注意が必要となっていた。また、発火対策や防水対策を行う必要もあり、処理負担が大きいという課題があった。
さらに、最近の祭りや催し物は時間の制限が厳しく、より短時間で効率よく運搬、設置、回収できるものが求められている。
【０００５】
この発明は上述のような課題を解決するためになされたもので、軽量化を図ることができるとともに、消費電力を低減でき、また、防水性や耐火性を確保でき、取り扱いを容易にできる、つり下げ式の提灯を提供することを目的とする。
【課題を解決するための手段】
【０００６】
本発明における、つり下げ式の提灯は、
該提灯の軸方向中心部分に発光部を備え、
該発光部は、少なくとも１つのＬＥＤ発光素子を備え、電線を介してつり下げ保持されることを特徴とする。
【０００７】
この発明によれば、前記発光部に少なくとも１つのＬＥＤ発光素子を備えるようにすることで、従来の白熱電球に比して作動時の表面温度を低下させることができ、耐火性を向上できる。また、発光部を、電線を介してつり下げ保持されるように構成することで、従来のようなソケット部分が不要となり、提灯全体を軽量化することができ、また、低コスト化やコンパクト化することもできる。また、従来の白熱電球に比して消費電力を低減できるため、連結コードが使用できる灯数制限を緩和することができ、連結コードの機能を十分に発揮することができる。また、発光部と電線と一体的に構成できるので、接続部分の接触不良が抑制されるとともに防水性も従来に比して向上できる。
【０００８】
また、本発明の提灯において、上述した構成を備えた上で、前記ＬＥＤ発光素子は複数であり、前記提灯の軸方向に沿って配設されるようにしてもよい。
このように構成することで、各ＬＥＤ発光素子が軸方向の上下にわたり光を照射するように構成できるので、提灯の明るさを軸方向にわたって一定以上の水準に保つことができ、提灯の見栄えをよくすることができる。
【０００９】
また、本発明の提灯において、上述した構成を備えた上で、前記発光部は、前記複数のＬＥＤ発光素子を搭載したＬＥＤ基板を少なくとも３つ備え、各ＬＥＤ基板は、軸対称に配設される、ようにしてもよい。
このように構成することで、提灯の中心軸周りに各ＬＥＤ発光素子が光を照射するように構成できるので、提灯の明るさを軸周りに対して一定以上の水準に保つことができ、提灯の見栄えをさらによくすることができる。
【００１０】
また、本発明の提灯において、上述した構成を備えた上で、前記発光部は、樹脂で形成されるケースを備え、
前記ケースは、複数のケースユニットで構成されるようにしてもよい。
このように構成することで、ＬＥＤ発光素子を電線に接続した状態で、複数のケースユニットを組み付けてケースを配設することが可能となる。また、ケースによりＬＥＤ発光素子を保護できるとともに、ＬＥＤ発光素子が照射する光を外部に透過する透明性を確保することもできる。
【００１１】
また、本発明の提灯において、上述した構成を備えた上で、前記ケースは、複数のケースユニットを超音波で溶着されている、ようにしてもよい。
このように構成することで、微細な超音波振動と加圧力によって複数のケースユニットを瞬時に溶融して接合することができるので、短時間かつ低コストでケースを構成することができる。
【００１２】
また、本発明の提灯において、上述した構成を備えた上で、前記ケースを形成する樹脂は、ポリカーボネートである、ようにしてもよい。
このように構成することで、前記ケースの軽量化や透明度を優れた水準で確保することができる。
【発明の効果】
【００１３】
この発明によれば、軽量化を図ることができるとともに、消費電力を低減でき、防水性や耐火性を確保でき、取り扱いを容易にできる、つり下げ式の提灯を提供することができる。
【図面の簡単な説明】
【００１４】
【図１】本発明の実施形態における提灯の上側からの斜視図である。
【図２】本発明の実施形態における提灯の下側からの斜視図である。
【図３】本発明の実施形態における提灯の発光部の分解図である。
【図４】本発明の実施形態の提灯の発光時の様子を示す説明図である。
【図５】本発明の実施形態の提灯を併設したジョイント部を示す説明図である。
【図６】本発明の実施形態の提灯のケースの溶着に使用される、超音波振動子を示す概略正面図である。
【図７】従来における提灯を示す斜視図である。
【発明を実施するための形態】
【００１５】
以下、本発明を実施するための形態について、図面を参照しながら、さらに具体的に説明する。図１は、本発明の実施形態における提灯の上側からの斜視図である。図２は、本発明の実施形態における提灯の下側からの斜視図である。図３は、本発明の実施形態における提灯の発光部の分解図である。図４は、本発明の実施形態の提灯の発光時の様子を示す説明図である。図５は、本発明の実施形態の提灯を併設したジョイント部を示す説明図である。図６は、本発明の実施形態の提灯のケースの溶着に使用される、超音波振動子を示す概略正面図である。なお、従来と同様の構成については、同一の番号を付して、その説明を適宜省略する。
【００１６】
本実施形態におけるつり下げ式の提灯２０は、図１、図２等に示されるように、提灯２０の軸方向中心部分に発光部２１を備えている。この発光部２１は、電線を構成する口出しコード５を介してつり下げ保持されている。なお、口出しコード５に接続されるジョイント部７、その上部の提灯フック６は、従来において説明したものと同様である。また、本実施形態の提灯２０も、図７に示されるような提灯本体２を備えているが、図１等においては図示を省略している。
【００１７】
図３に示されるように、発光部２１は、その上部に円盤状に形成され、交流を直流に変換する機能を有する電源基板３０を備えている。そして、電源基板３０の下側面には、４つのＬＥＤ基板３１が９０度間隔で軸対称に配設されている。各ＬＥＤ基板３１は、４つのＬＥＤ発光素子３２を搭載しており、各ＬＥＤ発光素子３２は、提灯２０の軸方向に沿って配設される。
【００１８】
また、発光部２１は、ポリカーボネート樹脂で形成されるケース２４を備えている。ケース２４は、ケースユニット２２、２３とで構成されている。本実施形態のケース２４は、ケースユニット２２、２３の接合部２５、２６を超音波で溶着して形成されている。
超音波溶着について、図６を用いて説明する。同図に示されるように、超音波溶着器５０は、発振器５１に接続されたランジュバン型の超音波振動子５２に、固定ホーン５３、工具ホーン５４をそれぞれ取り付けて構成されている。また、下側に設けられた受台５５に、ケースユニット２２、２３を配置して、超音波溶着器５０の工具ホーン５４から超音波振動を、ケースユニット２２、２３の接合部２５、２６に伝達して、接合部２５、２６を溶着する。これにより、ケースユニット２２、２３が一体化されてケース２４が製造される。
【００１９】
以上のように構成されたつり下げ式の提灯２０の作用効果について、図４、図５等を参照して説明する。本実施形態の提灯２０は、祭り、ビアガーデン、イベントや催し物等に使用される装飾用の提灯であり、ジョイント部７を介して連結コードに取り付けられている。本実施形態の提灯２０は、従来のようなソケット部分が不要となるため、提灯２０全体を軽量化することができる。従来の白熱電球に比して消費電力を低減できるため、従来に比して連結コード（ジョイント部７）が使用できる灯数を大幅に増大できる。これにより、祭り、ビアガーデン、イベントや催し物等における設置、運搬、回収の手間を大幅に低減することが可能となる。
図５に示された連結コードのコンセントを電源（図示せず）に接続すると、ジョイント部７を介して口出しコード５に電力が供給される。供給された電力は、図４に示す電源基板３０にて交流から直流に変換され、各ＬＥＤ基板３１に搭載された各ＬＥＤ素子３２に直流電圧が印加される。これにより、各ＬＥＤ発光素子３２が提灯２０の軸方向にわたりかつ軸方向周りに光を照射する。このように、本実施形態では、４つのＬＥＤ基板３１が９０度間隔で軸対称に配設し、各ＬＥＤ基板３１は、４つのＬＥＤ発光素子３２を提灯２０の軸方向に沿って配設しているので、提灯２０の明るさを軸方向にわたってそして軸周りに対して一定以上の水準に保つことができ、提灯の見栄えを良くすることができる。
【００２０】
また、本実施形態の提灯２０は、ポリカーボネートで形成されるケース２４を備えているので、ケース２４の軽量化や透明度を優れた水準で確保することができる。また、ケース２４は、ケースユニット２２、２３で構成されるので、ＬＥＤ発光素子３２を口出しコード５に接続した状態で、ケースユニット２２、２３を組み付けてケース２４を配設することが可能となる。また、ケース２４によりＬＥＤ発光素子２２、２３を保護できるとともに、ＬＥＤ発光素子２２、２３が照射する光を外部に透過する透明性を確保することもできる。
【００２１】
また、ケース２４は、ケースユニット２２、２３を超音波で溶着されており、微細な超音波振動と加圧力によってケースユニット２２、２３を瞬時に溶融して接合することができるので、短時間かつ低コストでケース２４を構成することができる。
【００２２】
本実施形態の提灯２０は、上述のように構成したことで、従来型の提灯に比して大幅な軽量化（４０％程度）を図ることができるとともに、発光部２１の表面温度を従来型の提灯に比して約６０℃程度低下させる（表面温度約４０℃）ことができ、防水性や耐火性を確保でき、取り扱いを容易にできる。
【００２３】
本発明は前述した実施形態に限定されるものではなく、本発明の要旨の範囲内、または、特許請求の範囲の均等範囲内で、各種の変形実施が可能である。
例えば、実施形態においては、軸方向に沿って複数のＬＥＤ素子を配設した構成を示したが、状況に応じて軸方向からずらして配設してもよく、単一のＬＥＤ素子を配設してもよい。また、ＬＥＤ基板３１の数や設置角度、搭載するＬＥＤ発光素子の数は、上記実施形態に限定されるものではなく、必要に応じて変更したものも本願発明の範囲に含まれることはもちろんである。
【符号の説明】
【００２４】
２０…提灯、２１…発光部、２２…ケースユニット、２３…ケースユニット、
２４…ケース、２５…接合部、２６…接合部、３０…電源基板、３１…ＬＥＤ基板、
３２…ＬＥＤ発光素子、５０…超音波溶着器、５１…発振器、５２…振動子、
５３…固定ホーン、５４…工具ホーン、５５…受台
【図１】
2016219361.tif 000003
【図２】
2016219361.tif 000004
【図３】
2016219361.tif 000005
【図４】
2016219361.tif 000006
【図５】
2016219361.tif 000007
【図６】
2016219361.tif 000008
【図７】
2016219361.tif 000009